(57)【要約】【課題】タンクの交換時に伴う配管接続作業を簡便にする。【解決手段】現像処理装置には、現像処理液を補充するための複数のタンクを収納するタンク収納室１５が配されている。タンク収納室１５には、トレー６２がスライド自在に設けられており、トレー６２の上には、複数のタンク３０〜３３が載置されている。タンク３０〜３３の上には、タンクごとに配管着脱機構６９が配されている。配管着脱機構６９は、レバー７０を開位置に操作することで、タンク３０に繋がる配管がタンク３０から離脱し、新たなタンクに交換後にレバー７０を閉位置に操作することで配管が再びタンク３０に接続される。【選択図】図３
2007133229.tif 000002
【特許請求の範囲】
【請求項１】
写真フイルムを現像するための処理液が入った現像処理液槽と、前記現像処理液槽に補充するための処理液を入れた容器と、前記容器を交換自在に収納する容器収納室と、前記容器から前記現像処理液槽に前記処理液を補充するための配管と、を備えた現像処理装置において、
前記配管の先端部を保持する配管保持部材と、
操作部材の操作に連動して前記先端部を前記容器の接続部に接続する接続位置と、前記先端部を前記接続部から離脱させる離脱位置との間で前記配管保持部材を移動自在に支持する支持機構と、
前記配管保持部材が接続位置のときに前記先端部が前記接続部に接続されるように、前記容器を位置決めする位置決め手段と、からなる配管着脱機構を備えたことを特徴とする現像処理装置。
【請求項２】
前記配管着脱機構は、前記配管保持部材に対して前記接続部の外縁を押さえる押圧位置とその押さえを解除する押圧解除位置との間で移動自在に設けられている押さえ部材と、
前記配管保持部材に対して前記押さえ部材を押さえ位置に向けて付勢する付勢部材と、を備えており、
前記押さえ部材は、前記配管保持部材の接続位置に向けての移動に伴って前記付勢部材の付勢が増すことで前記先端部が前記接続部に接続されるよりも先に押圧位置に移動し、また、前記配管保持部材の離脱位置に向けての移動に伴い前記付勢部材の付勢が徐々に減衰することで前記先端部が前記接続部から離脱した後に押圧解除位置に向けて移動することを特徴とする請求項１記載の現像処理装置。
【請求項３】
前記配管保持部材又は前記押さえ部材は、前記現像処理液槽から前記容器に前記処理液を回収するための回収用配管の先端部を保持していることを特徴とする請求項１又は２記載の現像処理装置。
【請求項４】
前記容器を載置するとともに、前記配管着脱機構を設けたトレーと、
前記容器を前記容器収納室に収納する収納位置と、前記容器の一部又は全部を前記容器収納室から外部に露呈する引き出し位置との間で前記トレーを引き出し自在に支持するスライド機構と、を備え、前記トレーを引き出し位置に移動した後に、前記レバーを操作して前記配管保持部材を接続位置と離脱位置との間で移動させることを特徴とする請求項１ないし３いずれか記載の現像処理装置。
【発明の詳細な説明】
【技術分野】
【０００１】
本発明は、写真感光材料を現像液、定着液あるいは水洗水等が貯留された処理液槽へ浸漬して液体処理する現像処理装置に関し、更に詳しくは、現像処理用の液体を回収又は補充するための容器を備えた現像処理装置に関する。
【背景技術】
【０００２】
ＩＴ社会の情報資産であるデジタルデータは、蓄積されるデジタルデータ量が加速度的に増加している。しかし、デジタルデータは、記憶装置の破損や故障、ウィルスなどによる消滅など、予期せぬ被害の危険にさらされており、情報資産をいかに安全に長期間保存していくかが、大きな課題となっている。そこで、こうしたリスクを完全にシャットアウトし、重要なデータの長期・安全保存を可能にするために、マイクロフイルム・レコーディング・システムが知られている。
【０００３】
マイクロフイルム・レコーディング・システムは、マイクロフイルムに原稿を撮影又は記録する原稿記録装置、露光済みのマイクロフイルムを現像する現像処理装置、マイクロフイルムから情報をすばやく検索・出力するリーダープリンターなどで構成されている。
【０００４】
前述した現像処理装置は、帯状の写真感光材料を自動的に現像する装置であり、現像槽、漂白定着槽、水洗槽、及び乾燥部をそれぞれ備えている。各槽には、処理液が入っており、使用量又は経時劣化に応じて新たな処理液を補充する必要がある。各補充用の処理液は、個別の容器又はボトル（以下、「タンク」と称する）に入っている。各タンクは供給用管によって各槽との間で各々接続されており、各槽の処理液は処理液が一定量以下になると、ポンプによりタンクから自動的に吸引されて補充されるようになっている。
【０００５】
また、各槽からオーバーフローした使用後の廃液を回収する必要がある。そこで、各タンクと各槽とを供給用管とは別の回収用管で接続している。また、各タンクは、内部が仕切り部材により二槽に仕切られている。一方の槽は補充用処理液を入れる槽であり、また、他方の槽には回収用管を通って各槽からオーバーフローした使用後の廃液が回収される（特許文献１）。補充用処理液が無くなると、タンクを交換する必要がある。
【特許文献１】特開平１−１６７８４１号公報
【発明の開示】
【発明が解決しようとする課題】
【０００６】
特許文献１に記載の銀塩写真式カラー複写機には、配管の先端をネジ式キャップに保持させておき、キャップを取り外し方向に回してボトルの開口部からキャップを外すことで、配管が開口部から取り外される。また、新たなボトルをセットした後にキャップを取り付け方向に回してキャップを開口部に取り付けることで配管の先端部をボトルの内部に挿入することができる。しかし、この配管取り付け作業は、キャップを回転させる作業が伴うため、簡便には行えない。
【０００７】
本発明では、容器の交換作業のときに伴う配管着脱を簡便に行えるように工夫した現像処理装置を提供することを目的とする。
【課題を解決するための手段】
【０００８】
本発明では、補充用処理液を容器から現像処理液槽に送る配管のうちの容器に接続するための先端部を保持する配管保持部材と；操作部材の操作に連動して先端部を容器の接続部に接続する接続位置と、先端部を接続部から離脱させる離脱位置との間で配管保持部材を移動自在に支持する支持機構と；配管保持部材が接続位置のときに先端部が接続部に接続されるように、容器を位置決めする位置決め手段と；を備えたものである。操作部材としては、手動式と自動式とが考えられる。手動式の場合には、例えばレバーを設け、レバーの操作に連動して配管保持部材を移動させるように構成すればよい。自動式の場合には、操作部材として例えば押釦などを設けるとともに、その押釦の操作に応答して駆動するアクチュエータなどの駆動手段と、駆動手段の駆動を利用して配管保持部材を移動させる移動機構とを設ければよい。
【０００９】
ところで、容器の接続部は、配管の先端部との間に隙間ができないように接続するのが処理液が蒸発しないため望ましい。そこで、接続部としては、例えば、弾性自在な材料で作った一部に予め十字の切り込みを入れておき、その十字の切り込みに配管の先端部を突き刺すことができる構造や、接続部の一部を薄肉で作っておき、薄肉部を配管の先端部で突き破って接続することができる構造などが好適である。しかし、接続部と先端部との接続を頑固にすると、先端部を接続部から引き抜き難いという不都合が生じる。また、先端部としては、接続部に突き刺さり易い針状の形状にするのが望ましい。この場合、接続部を持つ容器がずれたりすると先端部が折れ曲がったり、破損したりする不都合が生じるおそれがある。
【００１０】
そこで、先端部と接続部との接続を確実に行うために、配管保持部材に対して接続部の外縁を押さえる押圧位置とその押さえを解除する押圧解除位置との間で移動自在に設けられている押さえ部材と；配管保持部材に対して押さえ部材を押さえ位置に向けて付勢する付勢部材と；を配管着脱機構に設けるのが好適である。
【００１１】
押さえ部材は、配管保持部材の接続位置に向けての移動に伴って付勢部材の付勢が増すことで先端部が接続部に接続されるよりも先に押圧位置に移動する。また、配管保持部材の離脱位置に向けての移動に伴い付勢部材の付勢が徐々に減衰することで、先端部が接続部から離脱した後に押圧解除位置に向けて移動する。よって、押さえ部材が、先端部を抜き差しするときに接続部の縁を押圧しているから、先端部の着脱が確実に行える。
【００１２】
補充用処理液を入れた容器が重いため、容器を交換する作業には辛いものがある。そこで、容器を載置するトレーを、容器を容器収納室に収納する収納位置と容器の一部又は全部を容器収納室から外部に露呈する引き出し位置との間で引き出し自在に設け、そのトレーに配管着脱機構を設けるのが、作業が簡便になるので好適である。これによれば、トレーを引き出し位置に移動した後に、レバーを操作して配管保持部材を接続位置と離脱位置との間で移動させることができるので、奥に手を入れてレバーの操作を行うのと比べて格段に作業し易くなる。
【００１３】
トレーをスライドさせるスライド機構としては、レールとそのレールをスライド自在に支持する支持部材とを有するボールスライド機構など、周知の機構を用いることができる。また、写真フイルムの現像には、複数の処理液が必要である。このため、補充液を入れた容器も複数必要になる。この場合、配管着脱機構も容器ごとに設ければよい。また、トレーとしては、複数の容器を載置する構成にしてもよい。
【００１４】
さらに、補充用配管に加えて、現像処理液槽で廃棄になる処理液を容器に回収するための回収用配管を配管保持部材又は押さえ部材に取り付けてもよい。この場合、補充用及び回収用との処理液を個別に入れておくために容器の内部を二槽に構成し、各槽に繋がる２つの接続部を容器に設ければよい。
【発明の効果】
【００１５】
本発明の現像処理装置では、レバーを操作することで、配管の先端部と容器の接続部とを着脱することができるため、容器の交換作業が簡便になる。
【発明を実施するための最良の形態】
【００１６】
本発明の現像処理装置１０は、図１に示すように、撮影済みのマイクロフイルムを自動的に現像する装置であり、供給室１１、巻き取り室１２、現像処理液槽１３、乾燥部１４、タンク収納室１５とで構成されている。現像処理液槽１３は、現像槽１６、漂白定着槽１７、第１水洗槽１８、及び、第２水洗槽１９とで構成されている。
【００１７】
供給室１１には、撮影済みのマイクロフイルム２０を巻回した供給リール２１がセットされる。巻き取り室１２には巻き取りリール２２がセットされており、巻き取りリール２２には現像済みのマイクロフイルム２３が巻き取られる。供給室１１及び巻き取り室１２とは、通常は暗室にされており、扉を開けることで外部からリールを交換することができる。
【００１８】
マイクロフイルム２０は、引き出し手段により供給リール２１から下方に向けて帯状に引き出されて、搬送手段により水平方向に配列した現像槽１６、漂白定着槽１７、第１水洗槽１８、及び、第２水洗槽１９に順に導かれる。第２水洗槽１９を通過したマイクロフイルム２３は、搬送手段により上方に向けて搬送されて乾燥部１４に導かれる。そして乾燥部１４から排出されるマイクロフイルム２３は、搬送手段により水平方向に搬送されて巻き取り室１２に導かれ、巻き取り手段により巻き取りリール２２に巻き取られる。
【００１９】
現像槽１６には現像処理液２５が、漂白定着槽１７には漂白定着液２６が、第１水洗槽１８には第１水洗処理液２７が、及び、第２水洗槽１９には第２水洗処理液２８が予め溜められている。
【００２０】
タンク収納室１５は、現像処理液槽１３の下部に配されている。このタンク収納室１５には、第１〜第４タンク３０〜３３が個別に収容されている。各タンク３０〜３３は、補充用処理液を入れておく補充用処理液収納槽３４〜３７と、廃液を回収する回収用廃液収納槽３８〜４１とに仕切り部材により二層に分かれている。
【００２１】
第１タンク３０の開口部４２の内部には、補充用配管４３と回収用配管４４とを個別に接続するための供給用接続口、及び回収用接続口が設けられている。供給用接続口には、補充用配管４３が着脱自在に接続される。補充用配管４３を供給用接続口に接続することで、現像槽１６と第１タンク３０の補充用処理液収納槽３４とが接続される。また、回収用接続口には、回収用配管４４が着脱自在に接続される。回収用配管４４を回収用接続口に接続すると、現像槽１６と第１タンク３０の回収用廃液収納槽３８とが接続される。
【００２２】
なお、他のタンク３１〜３３も第１タンク３０と同じ構成となっており、タンク内部の２つの槽３５〜３７、３９〜４１とそのタンク３１〜３３に対応する処理液槽１６〜１９との間が２本の管４５〜５０で接続されている。また、各タンク３０〜３３の開口部４２の外周にはネジが形成されており、開口部４２はタンク３０〜３３が現像処理装置１０にセットされるまではキャップにより密封されている。
【００２３】
補充用配管４３，４５，４７，４９には、ポンプ５２〜５５が設けられている。ポンプ５２〜５５は、各処理液槽１６〜１９の処理液が一定量以下になったことを、各処理液槽１６〜１９に設けたセンサで検知することに応答して作動して、タンク３０〜３３の補充用処理液を各処理液槽１６〜１９に補充する。また、回収用配管４４、４６，４８，５０には、電磁弁５６〜６０が設けられている。電磁弁５６〜６０は、電気信号に応答して弁を開閉するものであり、通常は閉じ位置になっており、廃液が一定量以上になったことを各処理液槽１６〜１９に設けたセンサで検知することに応答して弁を一定時間だけ開き位置に移動して廃液をタンク３０〜３３に回収する。
【００２４】
タンク収納室１５には、トレー６２がスライド自在に設けられている。このトレー６２には、第１〜第４タンク３０〜３３が整列して載置されている。装置１０の前面下部には、図２に示すように、観音開き式の一対の扉６３，６４が設けられている。一対の扉６３，６４を開けると、図３に示すように、開口部６５の奥に、タンク収納室１５が露呈される。トレー６２は、タンク収納室１５に対して、例えばボールスライドなどの直進スライド機構により、引き出し位置と収納位置との間でスライド自在に取り付けられている。引き出し位置は、各タンク３０〜３３の全部又は一部を外部に露呈する位置であり、また、収納位置は、各タンク３０〜３３をタンク収納室１５に収納する位置である。直進スライド機構としては、例えばレールと、そのレールをスライド自在に支持する支持部材とで構成するのが好適である。レールはトレーの両側面にそれぞれ固定されている。支持部材は、タンク収納室１５の両側面に取り付けられている。
【００２５】
トレー６２には、開口側に取手６６が設けられており、引き出し又は収納するときにその取手６６を持って操作する。トレー６２の下部には、車輪出入機構６７が設けられている。車輪出入機構６７は、トレー６２のスライドに連動して車輪６８を出入りさせる。これにより、トレー６２は、引き出し位置のときに、車輪６８が出て接地するため、トレー６２の先端が重さでお辞儀しなくなる。
【００２６】
トレー６２の上部には、タンク３０〜３３ごとに配管着脱機構６９が設けられている。配管着脱機構６９は、回収用及び補充用配管４３〜５０を各タンク３０〜３３の開口部４２に同時に着脱する機構である。配管着脱機構６９は、回収用及び補充用配管４３〜５０の先端部の対を各々保持している。配管４３〜５０は、トレー６２の引き出しに追従するように、伸縮又は弾性自在な材料で作られている。レバー７０は、トレー６２の引き出し方向の下流側に向けて突出している。移動機構は、レバー７０の操作に連動して配管保持部を開口部４２の真上で昇降させて回収用及び補充用配管４３〜５０の先端部をタンク３０〜３３の開口部４２に着脱させる。
【００２７】
レバー７０を開位置に引き上げると、回収用及び補充用配管４３〜５０の先端部が各タンク３０〜３３の開口部４２から同時に離脱する。そして、新たなタンク３０〜３３をセットした後に、レバー７０を閉位置に引き下ろすことで、回収用及び補充用配管４３〜５０の先端部が各タンク３０〜３３の開口部４２に同時に接続する。
【００２８】
開口部４２の内部は、図４に示すように、一段凹んだ位置に蓋部５９が設けられている。蓋部５９は、開口部４２を密閉している。蓋部５９には、回収用配管４４の先端部が接続される接続口７１と、補充用配管４３の先端部が接続される接続部７２とが外部に露呈して設けられている。タンク３０の内部は、仕切り部材である袋部材７３により二層に仕切られており、袋部材７３の内部には補充用処理液が予め入っている。この袋部材７３の内部が前述した補充用処理液収納槽３４になる。
【００２９】
接続部７２は、上方に突出した断面円形の円柱形状になっており、上面には凹部７４が形成されている。凹部７４の下方には、管７５が形成されている。この管７５は袋部材７３の内部に繋がっている。
【００３０】
管７５には、袋部材７３の内部下方まで入り込む長さのチューブ７６が接続されている。チューブ７６には、先端を山切りにカットしたカット部７７と、先端を折り曲げ自在にするための蛇腹部５８とが形成されている。カット部７７は、先端が袋部材７３の内面に吸い付いてしまい、処理液が吸い込めなくなる不都合を解消するためのものである。
【００３１】
管７５は、凹部７４に繋がる一部が薄肉部７８により閉ざされている。補充用配管４３の先端部は、その薄肉部７８を突き破って管７５に接続される。接続口７１には、回収用配管４４の先端が挿脱される。この接続口７１は、袋部材７３とタンク３０の内壁との間のスペース、すなわち、回収用廃液収納槽３８に繋がっている。なお、他のタンク３１〜３３の開口部４２もタンク３０と同じ構造になっている。
【００３２】
図５に示すように、トレー６２の上には、各タンク３０〜３３が奥に落ちないように規制する規制板８０，８１が立設されており、規制板８０，８１には、各タンク３０〜３３の開口部４２をそれぞれ位置決めする４個の位置決め手段７９が設けられている。開口部４２は、外径輪郭が円形となっている。位置決め手段７９は、トレー６２の押し込み方向に対峙するように、八の字状に折り曲げて形成した位置決め板８２，８３を有し、タンク３０〜３３をトレー６２の上で押し込み方向に向けて挿入したときに、各開口部４２が位置決め板８２，８３にそれぞれ当接して各タンク３０〜３３をトレー６２の上の所定位置に位置決めする。
【００３３】
規制板８０，８１には、図６に示すように、位置決め手段７９ごとに配管着脱機構６９が取り付けられている。配管着脱機構６９は、図７ないし図１２に示すように、配管保持部材８５、支持機構、押さえ部材８７、付勢部材８８，８９、及び、レバー７０などで構成されている。
【００３４】
配管保持部材８５には、補充用配管４３の先端部４３ａが挿入される一端９９と、薄肉部７８を突き破るための刺通部１００とを有するジョイント部１０１が一体に取り付けられている。支持機構は、支持部材９０、ガイドピン９１〜９４、ガイド開口９５，９６、及びレバー７０の両腕９７，９８などで構成されている。ガイドピン９１〜９４は、配管保持部材８５の両側にそれぞれ設けられており、支持部材９０の両側に設けたガイド開口９５，９６にそれぞれ係合している。ガイド開口９５，９６は、縦長に形成されており、支持部材９０は、配管保持部材８５を縦方向に移動自在に支持している。なお、ジョイント部１０１の内部には、刺通部１００から一端９９に向けて処理液を吸い上げるための管路が形成されている。
【００３５】
レバー７０の両腕９７，９８は、支持部材９０に対して軸１０２を中心に回動自在に取り付けられている。ガイドピン９１〜９４のうちの二つのガイドピン９２，９４は、レバー７０の両腕９７，９８に設けた長穴１０３，１０４に係合しており、ガイド開口９５，９６の上下端でガイドピン９１〜９４の移動を規制することで、配管保持部材８５の接続位置と離脱位置とがきまり、これに伴ってレバー７０の閉位置と開位置とが決まる。ガイドピン９２，９４と両腕９７，９８とには、付勢部材１３０、例えば引っ張りコイルバネが掛けられている。この付勢部材１３０は、レバー７０を開位置に向けて移動したときに配管保持部材８５を離脱位置に向けて付勢する。
【００３６】
配管保持部材８５には、一対のガイド棒１１０、１１１が昇降自在に係合しており、ガイド棒１１０，１１１の下には、押さえ部材８７が取り付けられている。押さえ部材８７は、接続部７２の外縁を押さえる押圧位置とその押さえを解除する押圧解除位置との間で配管保持部材８５に対して移動自在に設けられており、付勢部材８８，８９により押圧位置に向けて付勢されている。付勢部材８８，８９は例えば圧縮コイルバネとなっている。この押さえ部材８７にはジョイント部１０１を出入りさせる開口８７ａが形成されている。ここで、この実施例では、回収用配管４４の先端部４４ａを押さえ部材８７で保持している。なお、本発明ではこれに限らず、回収用配管４４の先端部４４ａを配管保持部材８５に保持してもよい。
【００３７】
図１３及び図１４に示すように、押さえ部材８７は、配管保持部材８５の接続位置に向けての移動に伴って付勢部材８８，８９の付勢が増すことで刺通部１００が管７５に接続されるよりも先に押圧位置に移動し、また、配管保持部材８５の離脱位置に向けての移動に伴い付勢部材８８，８９の付勢が徐々に減衰することで刺通部１００が管７５から離脱した後に押圧解除位置に向けて移動する。
【００３８】
腕９７，９８は、長手方向に沿って長穴１０２ａに軸１０２が係合している。この分だけレバー７０は、長手方向の前後に僅かに移動する。両腕９７，９８には、支持部材９０との間にロック部材１２０が取り付けられている。ロック部材１２０には、支持部材９０の側面に設けたロックピン１２１に係合するロック開口１２２が形成されている。レバー７０は、レバー７０を閉位置のときに奥に押すことでロック開口がロックピンに係合するロック位置に移動してレバー７０の操作を阻止する。また、ロック位置からレバー７０を手間に引けば前記ロックを解除するロック解除位置にレバー７０が移動する。
【００３９】
レバーをロック位置にするとクリック機構によりクリック感が得られる。クリック機構は、両腕９７，９８に設けた凹部１２５と、支持部材９０に設けた凸部１２６との係合に行われる。
【００４０】
現像処理液のタンク３０〜３３を交換するときには、一対の扉６３，６４を開けてタンク収納室１５を露呈する。タンク収納室１５を露呈すると、４個のタンク３０〜３３が幅方向に並んでトレー６２の上に載置されている。それらタンク３０〜３３の列の略中央に、取手６６が前方に向けて突出している。その取手６６を掴んで前方に向けて引くことで、トレー６２が収納位置から引き出し位置に向けて引き出され、この引き出しに連動して車輪６８が出て行くる。これにより、トレー６２が重さによりお辞儀することがない。
【００４１】
トレー６２を引き出し位置に移動すると、タンク収納室１５から各タンク３０〜３３の全部又は一部が外部に露呈されているので、配管４３〜５０の取り外し作業が簡便に行える。この作業は、レバー７０を手前に引いて図１５に示すロック位置から図１１に示すロック解除位置に移動させる。これにより、ロック開口１２２がロックピン１２１から外れてレバー７０の回転が許容される。
【００４２】
その後、レバー７０を閉位置から開位置に向けて操作する。このとき、レバー７０の操作に連動して配管保持部材８５が離脱位置に向けて移動し、図１３及び図１４に示すようにその移動に伴って付勢部材８８，８９の付勢が徐々に減衰するので、刺通部１００が管７５から離脱した後に押さえ部材８７が押圧解除位置に向けて移動し、配管保持部材８５が離脱位置に移動したときには、図１０及び図１２に示すように、押さえ部材８７も接続部７２から離脱した位置に移動する。これにより、きつく刺さっている刺通部１００を接続部７２から簡単に抜くことができる。
【００４３】
レバー７０を開位置に移動すると、補充用配管４３と回収用配管４４とがタンク３０から外れる。その後、タンク３０を取り出して新たなタンク３０をセットして、レバー７０を閉位置に向けて操作する。この操作に連動して配管保持部材８５が接続位置に向けて移動する。このとき、配管保持部材８５の接続位置に向けての移動に伴って付勢部材８８，８９の付勢が増すため、図１３及び図１４に示すように、刺通部１００が管７５に接続されるよりも先に押さえ部材８７が押圧位置に移動して、押さえ部材８７が接続部７２の外縁を押さえる。
【００４４】
引き続きレバー７０を閉位置に向けて操作すると、刺通部１００が薄肉部７８を突き破って管７５に接続され、また、回収用配管４４の先端部４４ａが接続口７１に接続されて、図９及び図１１に示す状態になる。そして、レバー７０を閉位置に操作した後に、レバー７０をロック位置に向けて押すことで、ロック開口１２２がロックピン１２１に入り込んでレバー７０の開位置に向けての操作が阻止される。このとき、クリック機構によりクリック感が得られるのでロック位置に移動したことが分かる。なお、図１２では、接続口７１から離脱した回収用配管４４の先端部４４ａが未だ開口部４２の内部に入った状態になっているが、回収用配管４４が弾性自在な材料で作られているから、先端部４４ａを折り曲げながらタンク３０を取り出すことができる。
【００４５】
前述した作業は、タンク３０の交換作業について説明しているが、他のタンク３１〜３３についても前述したと同じ作業を行って新たなものに交換する。
【００４６】
その後、取手６６を持ってトレー６２を収納位置に押し込む。この押し込み操作に連動して車輪６８がトレー６２の下部に格納される。そして、最後に一対の扉６３，６４を閉めることで、交換作業が終了する。
【００４７】
上記実施形態では、タンク３０〜３３や現像処理液槽の数を４個にしているが、本発明ではこれに限ることはない。また、配管着脱機構６９、トレー６２のスライド機構、車輪出入機構６７としては、上記で説明した機構に限ることはなく、周知の機構を用いても良い。さらに、操作部材としてはレバー７０に限らず、ハンドルなど周知の手動式の操作部材を用いることができる。また、自動式の場合には、操作部材として押釦やスライドスイッチなどを設けるとともに、これら操作部材の操作に応答して作動するアクチュエータなどの駆動手段と、駆動手段の駆動を利用して配管保持部材を移動する移動機構とを設ければよい。
【図面の簡単な説明】
【００４８】
【図１】現像処理装置の概略を示す説明図である。
【図２】現像処理装置の外観を示す斜視図である。
【図３】タンク収納室からトレーを引き出した状態を示す要部斜視図である。
【図４】タンクの要部を示す断面図である。
【図５】タンクを位置決めする位置決め手段を設けたトレーを示す要部斜視図である。
【図６】配管着脱機構を設けたトレーを示す要部斜視図である。
【図７】レバーを閉位置に操作した状態を示す配管着脱機構の斜視図である。
【図８】レバーを開位置に操作した状態を示す配管着脱機構の斜視図である。
【図９】レバーを閉位置に操作した状態を示す配管着脱機構の断面図である。
【図１０】レバーを開位置に操作した状態を示す配管着脱機構の断面図である。
【図１１】レバーを閉位置に操作した状態を示す配管着脱機構の側面図であり、一部を破断して示している。
【図１２】レバーを開位置に操作した状態を示す配管着脱機構の側面図であり、一部を破断して示している。
【図１３】押さえ部材で接続部を押さえている状態を配管着脱機構の断面図である。
【図１４】押さえ部材で接続部を押さえている状態を配管着脱機構の側面図であり、一部を破断して示している。
【図１５】閉位置にあるレバーを押し込んでロック位置にした状態を示す配管着脱機構の側面図であり、一部を破断して示している。
【符号の説明】
【００４９】
１０  現像処理装置
３０〜３３  タンク
６２  トレー
６９  配管着脱機構
８５  配管保持部材
９０  支持部材
７２  接続部
４２  開口部
１００  刺通部
【図１】
2007133229.tif 000003
【図２】
2007133229.tif 000004
【図３】
2007133229.tif 000005
【図４】
2007133229.tif 000006
【図５】
2007133229.tif 000007
【図６】
2007133229.tif 000008
【図７】
2007133229.tif 000009
【図８】
2007133229.tif 000010
【図９】
2007133229.tif 000011
【図１０】
2007133229.tif 000012
【図１１】
2007133229.tif 000013
【図１２】
2007133229.tif 000014
【図１３】
2007133229.tif 000015
【図１４】
2007133229.tif 000016
【図１５】
2007133229.tif 000017